(57)【要約】      （修正有）【課題】全体を組み合わせた際の耐荷重性及び強度がさらに強化された組み合わせ式家具構造を提供する。【解決手段】発泡スチロール材料からなり、パネル１０と２つの長側板２０と２つの短側板３０と底板からなる。パネルの底面には複数のノッチ１１が設けられ、長側板の上方には複数の突出したほぞ２１、３１、４１が設けられて、パネルのノッチに嵌め込まれて結合され、長側板の本体の両側及び下方には、複数の貫通した溝孔２２、３２が設けられ、短側板の両側には複数のほぞ、短側板の下方には少なくとも１つの溝孔が設けられて、短側板の両側のほぞと長側板の本体の両側の溝孔は、互いに嵌められてしっかりと結合され、位置決めされて組み立てられ、底板４０の周辺には、少なくとも１つのほぞがそれぞれ設けられて、底板のほぞと長側板下方の溝孔及び短側板下方の溝孔は、互いに嵌められてしっかりと結合されるとともに、位置決めされて組立てられる。【選択図】図１
0003224462.tif 000002
【実用新案登録請求の範囲】
【請求項１】
発泡スチロール材料からなるとともに、パネルと、２つの長側板と、２つの短側板と、底板と、からなる組み合わせ式家具構造であって、そのうち、前記パネルの底面には、複数のノッチが設けられ、前記長側板の上方には、複数の突出したほぞが設けられることで、前記パネルのノッチに嵌め込まれて結合され、前記長側板の本体両側及び下方には、複数の貫通した溝孔が設けられ、前記短側板の両側には、複数のほぞが設けられるとともに、前記短側板の下方には、少なくとも１つの溝孔が設けられることで、前記短側板の両側のほぞと、前記長側板の本体両側の溝孔は、互いに嵌められてしっかりと結合されるとともに、位置決めされて組み立てられ、前記底板の周辺には、それぞれ、少なくとも１つのほぞが設けられることで、前記底板のほぞと前記長側板の下方の溝孔、及び、前記短側板の下方の溝孔は、互いに嵌められてしっかりと結合されるとともに、位置決めされて組み立てられることを特徴とする、組み合わせ式家具構造。
【請求項２】
前記パネルは、複数の溝部を備え、前記パネルの周囲は、複数の湾曲部を備え、前記パネルは、複数の層からなるとともに、各層の色は、交互に異なる色であることで、サンドクッキー状に形成されることを特徴とする、請求項１に記載の組み合わせ式家具構造。
【請求項３】
前記パネル、前記長側板、前記短側板、前記底板は、複数の層からなるとともに、各層の色は、交互に異なる色であり、
前記パネル、前記長側板、前記短側板、前記底板の各層は、互いに対応する係合孔を備え、前記複数の対応する係合孔の中には、係合カバーが係入されることで、前記パネル、前記長側板、前記短側板、前記底板の各層は、しっかり固定されて組み合わせられ、一体化されることを特徴とする、請求項１に記載の組み合わせ式家具構造。
【考案の詳細な説明】
【技術分野】
【０００１】
本考案は家具の構造に関し、特に、全体を組み合わせた際の耐荷重性及び強度をさらに強化した組み合わせ式家具構造に関する。
【背景技術】
【０００２】
一般に、自動車で出かけて、キャンプし、バーベキューをする場合、食料品以外にも、物を置いたり座ったりするためにテーブル、イスも準備する必要があるが、現在、持ち運び可能なテーブル、イスのセットに使用されている材質は、木材、プラスチック、アルミがほとんどであり、これら従来の材質を使用した製品も折りたたんで簡単に片付けられる機能を備えてはいるが、木製の場合、重すぎると考えられており、プラスチック製は、耐荷重性に劣り、アルミ製は、値段が高い上に、重く、持ち運びに不便である。
【０００３】
さらに、室内の比較的小さな子供が利用する教室には、当然のことながらテーブル、イスのセットが置かれているが、どのような材質で作られているかに関わらず、活発で活動的な子供が硬いテーブルやイスにぶつかって怪我をしてしまわないか少なからず心配するものであり、何度も注意してはいても、安心することはできず常に目を配らせる必要がある。
【０００４】
従来技術に関しては、台湾特許第Ｍ２９５４５９号を参照する。
【０００５】
しかしながら、前記特許文献の底板は、ノッチによって長側板のほぞが套設され、長側板に結合されるのみであるとともに、前記特許文献の底板は、短側板と結合されていないため、結合が比較的弱く、底板は、全体を組み合わせた際の耐荷重性及び強度を強化することができない。さらに、前記特許文献における形状は、単調であるとともに、見た目に優れず、インテリア性に欠ける。
【０００６】
従って、上述の台湾特許第Ｍ２９５４５９号の構造は、形状が理想的ではなく、改善が必要とされる。
【先行技術文献】
【特許文献】
【０００７】
【特許文献１】台湾特許第Ｍ２９５４５９号明細書
【考案の概要】
【考案が解決しようとする課題】
【０００８】
本考案は、全体を組み合わせた際の耐荷重性及び強度がさらに強化された組み合わせ式家具構造を提供することを目的とする。
【課題を解決するための手段】
【０００９】
上述の目的を達成するため、本考案は、発泡スチロール材料からなるとともに、パネルと、２つの長側板と、２つの短側板と、底板と、からなる。そのうち、前記パネルの底面には、複数のノッチが設けられ、前記長側板の上方には、複数の突出したほぞが設けられることで、前記パネルのノッチに嵌め込まれて結合され、前記長側板の本体両側及び下方には、複数の貫通した溝孔が設けられ、前記短側板の両側には、複数のほぞが設けられるとともに、前記短側板の下方には、少なくとも１つの溝孔が設けられることで、前記短側板の両側のほぞと、前記長側板の本体の両側の溝孔は、互いに嵌められてしっかりと結合されるとともに、位置決めされて組み立てられ、前記底板の周辺には、それぞれ、少なくとも１つのほぞが設けられることで、前記底板のほぞと前記長側板の下方の溝孔、及び、前記短側板の下方の溝孔は、互いに嵌められてしっかりと結合されるとともに、位置決めされて組み立てられる。
【考案の効果】
【００１０】
本考案を組み立てて、テーブル、イスとして使用することができるとともに、その中に物を置いて収納することができ、重量が軽いため、簡単且つ素早く組み立てることができ、折りたたんだ際にもかさばらないなど、多くの実用性を備えるとともに、底板は、長側板と短側板にしっかりと安定して結合されているため、全体を組み合わせた際の耐荷重性及び強度がさらに強化される。
【図面の簡単な説明】
【００１１】
【図１】本考案の斜視分解図である。
【図２】本考案の斜視図である。
【図３】本考案における底板、長側板、短側板を組み合わせたものを上から見た場合の断面図である。
【図４】本考案におけるパネル、長側板、短側板を組み合わせた場合の側面断面図である。
【図５】本考案の側面図である。
【図６】本考案におけるパネルを持ち上げ、その中に物を置いた場合の使用例を示した図である。
【図７】本考案における実施例２の斜視分解図である。
【図８】本考案における実施例２の斜視図である。
【図９】本考案の実施例２における底板、長側板、短側板を組み合わせたものを上から見た場合の断面図である。
【図１０】本考案の実施例２におけるパネル、長側板、短側板を組み合わせたものを側面から見た場合の断面図である。
【図１１】本考案の実施例２におけるパネルを持ち上げ、その中に物を置いた場合の使用例を示した図である。
【図１２】パネルの別の実施例における斜視分解図である。
【図１３】長側板の別の実施例における斜視分解図である。
【図１４】短側板の別の実施例における斜視分解図である。
【図１５】底板の別の実施例における斜視分解図である。
【考案を実施するための形態】
【００１２】
参照する図１から図６に示す通り、本考案は、発泡スチロール材料からなるとともに、パネル１０と、２つの長側板２０と、２つの短側板３０と、底板４０と、からなる。以下に詳細を説明する。
【００１３】
前記パネル１０の底面には、複数のノッチ１１が設けられ、前記長側板２０の上方には、複数の突出したほぞ２１が設けられることで、前記パネル１０のノッチ１１に嵌め込まれて結合され、前記長側板２０の本体両側及び下方には、複数の貫通した溝孔２２が設けられ、前記短側板３０の両側には、複数のほぞ３１が設けられるとともに、前記短側板３０の下方には、溝孔３２が設けられることで、前記短側板３０の両側のほぞ３１と、前記長側板２０の本体両側の溝孔２２は、互いに嵌められてしっかりと結合されるとともに、位置決めされて組み立てられ、前記底板４０の周辺には、それぞれ、ほぞ４１が設けられることで、前記底板４０のほぞ４１と前記長側板２０の下方の溝孔２２、及び、前記短側板３０の下方の溝孔３２は、互いに嵌められてしっかりと結合されるとともに、位置決めされて組み立てられる。
【００１４】
実施例において、前記パネル１０は、複数の溝部１２を備え、前記パネル１０の周囲は、複数の湾曲部１３を備え、前記パネル１０は、例えば、３層といった複数の層からなるとともに、各層の色は、交互に異なる色であることで、サンドクッキー状に形成されるため、見た目が良く、生き生きとした雰囲気が醸し出されるとともに、おもしろみがあり、インテリア等の效果を備える。
【００１５】
前記溝部１２は、使用者が座る際にも、通気性を備える。
【００１６】
実施例において、前記長側板２０は、可動板２３を備え、可動板２３は、かわいらしい人形の形であることができるとともに、前記可動板２３を自由に取り外し、取り付けることができるため、全体的にさらに見た目が良くなり、生き生きとした雰囲気が醸し出されるとともに、さらに、おもしろみが増し、インテリア等の效果も高まる。
【００１７】
実施例において、前記長側板２０、前記短側板３０、前記底板４０は、２層といった複数の層からなるとともに、各層の色は、交互に異なる色であることで、見た目が良く、生き生きとした雰囲気が醸し出されるとともに、おもしろみがあり、インテリア等の效果を備える。
【００１８】
上述は、本考案の各部構成部品及びその組み立て方法を説明したものであるが、続いて、以下に本考案における使用上の特徴、効果を説明する。
【００１９】
本考案を組み立てて、イスとして使用する場合、前記パネル１０を持ち上げるとともに、その中に物を置いて収納することができ、重量が軽いため、簡単且つ素早く組み立てることができ、折りたたんだ際にもかさばらないなど、多くの実用性を備えるとともに、底板４０は、長側板２０と短側板３０にしっかりと安定して結合されているため、全体を組み合わせた際の耐荷重性及び強度がさらに強化される。
【００２０】
参照する図７から図１１は、本考案をテーブルの形にした場合の実施例であり、その構造は、本考案をイスの形にした場合の実施例とほぼ同じであるが、主に、前記短側板３０は、中空孔３３を備え、前記中空孔３３は、所定の形状を備えることで、見た目が良く、生き生きとした雰囲気が醸し出されるとともに、おもしろみがあり、インテリア等の效果を備える。
【００２１】
参照する図１２に示す通り、実施例において、前記パネル１０は、複数の層からなるとともに、各層の色は、交互に異なる色であり、前記パネル１０の各層は、互いに対応する係合孔１４を備え、前記複数の対応する係合孔１４の中には係合カバー１５が係入されることで、前記パネル１０の各層は、しっかり固定されて組み合わせられ、一体化される。
【００２２】
参照する図１３に示す通り、実施例において、前記長側板２０は、複数の層からなるとともに、各層の色は、交互に異なる色であり、前記長側板の各層は、互いに対応する係合孔２４を備え、前記複数の対応する係合孔２４の中には、係合カバー２５が係入されることで、前記長側板２０の各層は、しっかり固定されて組み合わせられ、一体化される。
【００２３】
参照する図１４に示す通り、実施例において、前記短側板３０は、複数の層からなるとともに、各層の色は、交互に異なる色であり、前記短側板３０の各層は、互いに対応する係合孔３４を備え、前記複数の対応する係合孔３４の中には、係合カバー３５が係入されることで、前記短側板３０の各層は、しっかり固定されて組み合わせられ、一体化される。
【００２４】
参照する図１５に示す通り、実施例において、前記底板４０は、複数の層からなるとともに、各層の色は、交互に異なる色であり、前記底板４０の各層は、互いに対応する係合孔４２を備え、前記複数の対応する係合孔４２の中には、係合カバー４３が係入されることで、前記底板４０の各層は、しっかり固定されて組み合わせられ、一体化される。
【符号の説明】
【００２５】
１０  パネル                        
１１  ノッチ
１２  溝部                          
１３  湾曲部
１４  係合孔                    
１５  係合カバー
２０  長側板              
２１  ほぞ
２２  溝孔                      
２３  可動板
２４  係合孔                  
２５  係合カバー
３０  短側板                  
３１  ほぞ
３２  溝孔                      
３３  中空孔
３４  係合孔                        
３５  係合カバー
４０  底板                        
４１  ほぞ
４２  係合孔                        
４３  係合カバー    
【図１】
0003224462.tif 000003
【図２】
0003224462.tif 000004
【図３】
0003224462.tif 000005
【図４】
0003224462.tif 000006
【図５】
0003224462.tif 000007
【図６】
0003224462.tif 000008
【図７】
0003224462.tif 000009
【図８】
0003224462.tif 000010
【図９】
0003224462.tif 000011
【図１０】
0003224462.tif 000012
【図１１】
0003224462.tif 000013
【図１２】
0003224462.tif 000014
【図１３】
0003224462.tif 000015
【図１４】
0003224462.tif 000016
【図１５】
0003224462.tif 000017